(57)【特許請求の範囲】
【請求項１】
座席と、
前記座席の周囲に配置された壁部と、
睡眠を制御するための睡眠制御灯とを備え、
前記座席は、背もたれ部と座部とを有し、前記背もたれ部及び前記座部がスライドすることにより、前記背もたれ部と座部との角度が第１角度である第１状態と、前記角度が前記第１角度より大きい第２状態とを遷移し、
前記睡眠制御灯の光軸は水平面より下方に傾斜しており、
前記睡眠制御灯は、前記座席が前記第１状態である場合、前記座席の後方又は上方に存在し、
前記座席が前記第２状態である場合、前記光軸は前記背もたれ部を貫き、
前記座席が前記第１状態である場合、前記睡眠制御灯の少なくとも一部は被覆されており、
前記座席が前記第２状態である場合、前記睡眠制御灯は露出する
照明システム。
【請求項２】
座席と、
前記座席の周囲に配置された壁部と、
睡眠を制御するための睡眠制御灯とを備え、
前記座席は、背もたれ部と座部とを有し、前記背もたれ部及び前記座部がスライドすることにより、前記背もたれ部と座部との角度が第１角度である第１状態と、前記角度が前記第１角度より大きい第２状態とを遷移し、
前記睡眠制御灯の光軸は水平面より下方に傾斜しており、
前記睡眠制御灯は、前記座席が前記第１状態である場合、前記座席の後方又は上方に存在し、
前記座席が前記第２状態である場合、前記光軸は前記背もたれ部を貫き、
前記睡眠制御灯は、前記壁部により支持されている
照明システム。
【請求項３】
前記壁部は、前記座席が前記第１状態である場合に、前記壁部から前記背もたれ部の上方に突出する突出部を有し、
前記睡眠制御灯は、前記突出部に配置され、
前記座席が前記第１状態である場合、前記睡眠制御灯の少なくとも一部は被覆されており、
前記座席が前記第２状態である場合、前記睡眠制御灯は露出する
請求項２記載の照明システム。
【請求項４】
前記座席が前記第２状態である場合、前記光軸は使用者の顔周辺を貫く
請求項１〜３のいずれか１項に記載の照明システム。
【請求項５】
前記照明システムは、さらに、
前記睡眠制御灯を制御することで、睡眠を促進する睡眠促進モードと、覚醒を促進する覚醒促進モードとを実行する制御部を備える
請求項１〜４のいずれか１項に記載の照明システム。
【請求項６】
前記制御部は、
前記座席が前記第１状態から前記第２状態に遷移した場合に、前記睡眠促進モードを開始し、
前記睡眠促進モードを開始してから第１時間経過後に前記覚醒促進モードを開始する
請求項５記載の照明システム。
【請求項７】
前記制御部は、予め設定された起床時刻よりも第２時間前の時刻に、前記覚醒促進モードを開始する
請求項６記載の照明システム。
【請求項８】
前記制御部は、前記睡眠促進モードを開始してから前記起床時刻までの第３時間が長いほど、前記第２時間を長く設定する
請求項７記載の照明システム。
【請求項９】
前記睡眠促進モードにおける前記睡眠制御灯の色温度は、前記覚醒促進モードにおける色温度よりも低い
請求項５〜８のいずれか１項に記載の照明システム。
【請求項１０】
前記覚醒促進モードにおける前記睡眠制御灯の色温度は３０００Ｋよりも大きい
請求項５〜９のいずれか１項に記載の照明システム。
【請求項１１】
前記照明システムは、さらに、読書灯を備え、
前記座席が前記第１状態である場合、前記読書灯の光軸が前記背もたれ部又は座部を貫く位置は、前記睡眠制御灯の光軸が前記背もたれ部を貫く位置よりも前記座部側である
請求項１〜１０のいずれか１項に記載の照明システム。
【請求項１２】
請求項１〜１１のいずれか１項に記載の照明システムを備える
移動体。
【発明の詳細な説明】
【技術分野】
【０００１】
本発明は、座席及び睡眠制御灯を含む照明システム及びそれを用いる移動体に関する。
【背景技術】
【０００２】
移動体用の照明システムでは、座席での読書を補助するための照明であったり、食事をするために必要な明るさを補助するための照明が設置されている。また、ユーザの睡眠及び覚醒を支援するために照明を制御する技術が知られている（例えば、特許文献１参照）。
【先行技術文献】
【特許文献】
【０００３】
【特許文献１】特開２０１０−９９４１０号公報
【発明の概要】
【発明が解決しようとする課題】
【０００４】
このような、照明システムでは、睡眠又は覚醒の支援をより効果的に行えることが望まれている。
【０００５】
そこで本発明は、睡眠又は覚醒の支援をより効果的に行える照明システム又は移動体を提供することを目的とする。
【課題を解決するための手段】
【０００６】
本発明の一態様に係る照明システムは、座席と、前記座席の周囲に配置された壁部と、睡眠を制御するための睡眠制御灯とを備え、前記座席は、背もたれ部と座部とを有し、前記背もたれ部及び前記座部がスライドすることにより、前記背もたれ部と座部との角度が第１角度である第１状態と、前記角度が前記第１角度より大きい第２状態とを遷移し、前記睡眠制御灯の光軸は水平面より下方に傾斜しており、前記睡眠制御灯は、前記座席が前記第１状態である場合、前記座席の後方又は上方に存在し、前記座席が前記第２状態である場合、前記光軸は前記背もたれ部を貫く。
【０００７】
また、本発明の一態様に係る移動体は、前記照明システムを備える。
【発明の効果】
【０００８】
本発明は、睡眠又は覚醒の支援をより効果的に行える照明システム又は移動体を提供できる。
【図面の簡単な説明】
【０００９】
【図１】図１は、実施の形態に係る照明システムの使用例を示す図である。
【図２】図２は、実施の形態に係る照明システムの座状態の様子を示す上面図及び平面図である。
【図３】図３は、実施の形態に係る照明システムの座状態から寝状態への遷移過程の様子を示す上面図及び平面図である。
【図４】図４は、実施の形態に係る照明システムの寝状態の様子を示す上面図及び平面図である。
【図５】図５は、実施の形態に係る照明システムの第１変形例における座状態の様子を示す上面図及び平面図である。
【図６】図６は、実施の形態に係る照明システムの第１変形例における寝状態の様子を示す上面図及び平面図である。
【図７】図７は、実施の形態に係る照明システムの第２変形例における座状態の様子を示す上面図及び平面図である。
【図８】図８は、実施の形態に係る照明システムの第２変形例における寝状態の様子を示す上面図及び平面図である。
【図９】図９は、実施の形態に係る照明システムの第２変形例の別の例における寝状態の様子を示す上面図及び平面図である。
【図１０】図１０は、実施の形態に係る照明システムの変形例における寝状態の様子を示す上面図及び平面図である。
【図１１】図１１は、実施の形態に係る照明システムの機能ブロック図である。
【図１２】図１２は、実施の形態に係る照明システムによる機能支援動作のフローチャートである。
【図１３】図１３は、実施の形態に係る照明システムによる機能支援動作の一例を示す図である。
【図１４】図１４は、実施の形態に係る照明システムによる機能支援動作の一例を示す図である。
【図１５】図１５は、実施の形態に係る照明システムによる機能支援動作の一例を示す図である。
【図１６】図１６は、実施の形態に係る照明システムによる覚醒促進モードを用いた場合の実験結果を示す図である。
【図１７】図１７は、実施の形態に係る、色温度に対する覚醒度の実験結果を示す図である。
【図１８】図１８は、実施の形態に係る睡眠制御灯の構成例を示す図である。
【図１９】図１９は、実施の形態に係る睡眠制御灯の構成例を示す図である。
【図２０】図２０は、実施の形態に係る睡眠制御灯の構成例を示す図である。
【図２１】図２１は、実施の形態に係る睡眠制御灯の構成例を示す図である。
【発明を実施するための形態】
【００１０】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態）
［使用例］
まず、本実施の形態に係る照明システムの使用例を説明する。図１は、本実施の形態に係る照明システムの使用例を示す図である。本実施の形態に係る照明システムは、移動体に用いられる照明システムであり、例えば、図１に示すように、飛行機のシートで用いられる照明システムである。なお、本実施の形態に係る照明システムは、飛行機以外の移動体（例えば列車等）のシートで用いられてもよいし、移動体以外の場所で用いられてもよい。
【００１３】
［照明システムの構成］
以下、本実施の形態に係る照明システムの構成を説明する。図２〜図４は、本実施の形態に係る照明システム１００の構成を示す図である。各図の上図は照明システム１００を上方から見た平面図であり、下図は上図のＡ−Ａ面における断面図である。
【００１４】
図２〜図４に示すように、照明システム１００は、座席１０１と、壁部１０２及び１０６と、睡眠制御灯１０３と、読書灯１０５と、テーブル１０７と、モニタ１０８と、テーブル灯１０９とを含む。
【００１５】
座席１０１は、ユーザ１０４が座るシートであり、背もたれ部１１１と、座部１１２と、足置き部１１３とを含む。背もたれ部１１１、座部１１２及び足置き部１１３がスライドすることにより、背もたれ部１１１と座部１１２との角度が第１角度である座状態（第１状態：図２）と、当該角度が第１角度より大きい寝状態（第２状態：図４）とを遷移する。
【００１６】
具体的には、図２〜図４に示すように、背もたれ部１１１の上端部が、座席１０１後方（図２の左側）の壁部１０２に沿って上下にスライドする。当該スライドに連動して背もたれ部１１１の下端部が水平方向にスライドする。つまり、上端部が下方向にスライドするのに連動して下端部が前方（図面の右側）にスライドする。また、当該下端部のスライドに伴い、座部１１２及び足置き部１１３も前方にスライドする。また、足置き部１１３は、座部側の端部を軸に回動可能であり、座状態においては略垂直となり、寝状態においては略水平となる。よって、寝状態では、背もたれ部１１１、座部１１２及び足置き部１１３が略水平に一列となる。このように、図２に示す座状態から、図３に示す状態を経由して、図４に示す寝状態に遷移する。
【００１７】
また、背もたれ部１１１は、座状態において、主に、ユーザ１０４の背中をささえる。座部１１２は、座状態において、主にユーザ１０４の臀部と接し、座位状態をサポートする。
【００１８】
壁部１０２は、パーティションであり、座席１０１の少なくとも一部を囲うように座席１０１の周囲に配置されている。また、壁部１０２は、背もたれ部１１１、座部１１２及び足置き部１１３をスライド可能な状態で支持する。なお、ここでは、背もたれ部１１１、座部１１２及び足置き部１１３が壁部１０２により支持される例を示すが、専用の支持部材等により背もたれ部１１１、座部１１２及び足置き部１１３の少なくとも一つが支持されてもよい。
【００１９】
睡眠制御灯１０３は、ユーザ１０４の睡眠を制御するための照明である。睡眠制御灯１０３に用いられる光源の種別は特には限定されないが、例えば、ＬＥＤ（発光ダイオード）、蛍光灯、レーザー照明、又は有機ＥＬ（エレクトロルミネッセンス）等である。また、睡眠制御灯１０３は、ユーザ１０４の睡眠を促進する睡眠促進モードにおいて、ユーザ１０４の睡眠を促進する光をユーザ１０４に照射し、ユーザ１０４の覚醒を促進する覚醒促進モードにおいてユーザ１０４の覚醒を促進する光をユーザ１０４に照射する。
【００２０】
睡眠制御灯１０３の光軸Ｌ３は水平面より下方に傾斜している。具体的には、寝状態において、光軸Ｌ３は背もたれ部１１１を貫く。より具体的には、光軸Ｌ３が、ユーザ１０４の顔周辺を貫くように設定されている。これにより、寝状態において、ユーザ１０４の顔の周辺に睡眠を促進する光、又は覚醒を促進する光を効果的に照射できる。
【００２１】
睡眠制御灯１０３は、座席１０１後方の壁部１０２に固定されており、壁部１０２により支持されている。つまり、睡眠制御灯１０３は、上記スライド動作と連動して移動することはなく固定されている。なお、ここでは、睡眠制御灯１０３が壁部１０２に固定される例を示すが、専用の支持部材等により睡眠制御灯１０３が固定されてもよい。例えば、座席１０１に接続された支持部材により睡眠制御灯１０３が固定されてもよい。
【００２２】
図２に示すように、座状態において睡眠制御灯１０３は、座席１０１の上方に存在する。また、座状態においては、睡眠制御灯１０３の少なくとも一部が被覆されており、寝状態において、睡眠制御灯１０３が露出するように構成されている。具体的には、図２に示すように、座状態においては、睡眠制御灯１０３の光照射面（下方向の面）が背もたれ部１１１の上面により被覆されている。寝状態においては、背もたれ部１１１がスライドすることで、睡眠制御灯１０３の光照射面が露出する。
【００２３】
読書灯１０５は、ユーザ１０４の手元に光を照射する照明である。読書灯１０５に用いられる光源の種別は特には限定されないが、例えば、ＬＥＤ、蛍光灯、レーザー照明、又は有機ＥＬ等である。読書灯１０５は、例えば、側面側の壁部１０２に設置されている。
【００２４】
また、読書灯１０５の光軸Ｌ１は、座状態において座部１１２を貫き、寝状態において、背もたれ部１１１又は座部１１２を貫く。ここで、寝状態において、読書灯１０５の光軸Ｌ１が背もたれ部１１１又は座部１１２を貫く位置は、睡眠制御灯１０３の光軸Ｌ３が背もたれ部１１１を貫く位置よりも座部１１２側（前方）である。
【００２５】
テーブル１０７は、座席１０１の前方に設けられている。モニタ１０８は、テーブル１０７上又は壁部１０６に設置されており、映像を表示する。壁部１０６は、パーティションであり、テーブル１０７及びモニタ１０８の少なくとも一部を囲うようにテーブル１０７及びモニタ１０８の周囲に配置されている。
【００２６】
テーブル灯１０９は、テーブル１０７上に光を照射する照明である。例えば、テーブル灯１０９の光軸Ｌ２はテーブル１０７を貫く。テーブル灯１０９に用いられる光源の種別は特には限定されないが、例えば、ＬＥＤ、蛍光灯、レーザー照明、又は有機ＥＬ等である。テーブル灯１０９は、例えば、側面側の壁部１０６に設置されている。
【００２７】
なお、図２〜図４に示す構成は一例であり、照明システム１００は、図２〜図４に示す全ての構成要素を必ずしも備える必要はない。例えば、照明システム１００は、壁部１０２、読書灯１０５、壁部１０６、テーブル１０７、モニタ１０８、及びテーブル灯１０９の少なくとも一部を備えなくてもよい。
【００２８】
以上のように、本実施の形態に係る照明システム１００では、図４に示すように、寝状態において、睡眠制御灯１０３からの光がユーザ１０４の顔の周辺に照射される。これにより、睡眠又は覚醒の支援をより効果的に行うことができる。また、座状態においては、睡眠制御灯１０３が座席１０１の上部に配置されていることにより、座状態において、邪魔にならないように睡眠制御灯１０３を格納することができる。
【００２９】
ここで、従来から用いられている読書をするための照明又は食事をするための照明を睡眠制御に使用すると、その設置位置はユーザ１０４の顔から遠い位置にあり、例えば覚醒に必要な光量を得ようとすると、照射距離が遠く効率的であるとはいえない。
【００３０】
一方で、本実施の形態では、寝状態において、ユーザ１０４の頭上近辺から光を照射することで、覚醒及び睡眠を効率的に支援できる。また、睡眠制御灯１０３から覚醒又は睡眠の支援のために必要な最低限の光量を照射すればよういので、省電力を実現できる。
【００３１】
［変形例］
図５及び図６は、照明システム１００の第１変形例である照明システム１００Ａの構成を示す図である。図５及び図６はそれぞれ座状態及び寝状態における照明システム１００Ａの構成を示す。図５及び図６に示す照明システム１００Ａは、図２〜図４に示す照明システム１００に対して、睡眠制御灯１０３が配置される位置が異なる。
【００３２】
具体的には、睡眠制御灯１０３は、座状態において、座席１０１の後方に存在する。具体的には、睡眠制御灯１０３は、座状態において、背もたれ部１１１の後方の壁部１０２に設定されている。
【００３３】
このような構成においても、上記と同様の効果を実現できる。
【００３４】
図７及び図８は、照明システム１００の第２変形例である照明システム１００Ｂの構成を示す図である。図７及び図８はそれぞれ座状態及び寝状態における照明システム１００Ｂの構成を示す。
【００３５】
図７及び図８に示す照明システム１００Ｂは、図２〜図４に示す照明システム１００に対して、壁部１０２に突出部１２１が設けられており、当該突出部１２１に睡眠制御灯１０３が配置される点が異なる。
【００３６】
突出部１２１は、座状態において、壁部１０２から背もたれ部１１１の上方に突出する。具体的には、突出部１２１は、背もたれ部１１１の後方の壁部１０２の上部に設けられている。また、突出部１２１は、背もたれ部１１１から前方に突出する。睡眠制御灯１０３は、突出部１２１の先端（前方端部）に設けられている。
【００３７】
また、照明システム１００Ｂは、蓋部１２２を備える。蓋部１２２により、座状態において、睡眠制御灯１０３の少なくとも一部が被覆され、寝状態において、睡眠制御灯１０３が露出するように構成されている。具体的には、蓋部１２２は、座状態において、睡眠制御灯１０３の光照射面を被覆する。また、蓋部１２２は、背もたれ部１１１のスライドに連動して、スライドするように構成されている。これにより、図８に示すように、寝状態においては、睡眠制御灯１０３の光照射面が露出する。
【００３８】
このような構成においても、上記と同様の効果を実現できる。
【００３９】
なお、図９に示す照明システム１００Ｃように、背もたれ部１１１を厚くすることにより、座状態において背もたれ部１１１により睡眠制御灯１０３を被覆してもよい。
【００４０】
また、読書灯１０５の位置は図２〜図４に示す例に限定されない。例えば、図１０に示す照明システム１００Ｄように、読書灯１０５が睡眠制御灯１０３の近傍に配置されてもよい。また、図７及び図８に示すように突出部１２１が用いられる場合には、当該突出部１２１に睡眠制御灯１０３が配置されてもよい。
【００４１】
［睡眠支援動作］
以下、上記照明システム１００を用いた睡眠支援動作について説明する。
【００４２】
図１１は、照明システム１００の機能構成を示すブロック図である。図１１に示すように、照明システム１００は、さらに、スライド検知部１３１と、起床時刻設定部１３２と、制御部１３３とを備える。これらの処理部は、専用のハードウェアにより構成されてもよいし、ＣＰＵ等のプロセッサがメモリ等に格納されたプログラムを実行することにより実現してもよいし、これらの組み合わせにより実現されてもよい。
【００４３】
スライド検知部１３１は、背もたれ部１１１のスライドを検知する。つまり、スライド検知部１３１は、座席１０１が座状態であるか寝状態であるかを検知する。例えば、スライド検知部１３１は、背もたれ部１１１が実際にスライドことしたこと、又は背もたれ部１１１の角度を機械的に検知してもよいし、ユーザ１０４による背もたれ部１１１をスライドさせるための操作（ボタン、スイッチ又はタッチパネル等への操作）を検知してもよい。
【００４４】
起床時刻設定部１３２は、ユーザ１０４が起床する予定時刻である起床時刻を設定する。例えば、ユーザ１０４によるボタン、スイッチ又はタッチパネル等への操作により起床時刻が設定される。なお、起床時刻は予め定められた時刻であってもよいし、移動体の目的地への到着予定時刻に基づき自動で設定された時刻であってもよい。また、起床時刻の代わりに、後述する睡眠促進モードの開始時刻又は現在の時刻から起床時刻までの時間である睡眠時間が設定されてもよい。
【００４５】
制御部１３３は、スライド検知部１３１の検知結果及び起床時刻に基づき、睡眠制御灯１０３を制御することで睡眠促進モードと覚醒促進モードとを実行する。
【００４６】
以下、睡眠支援動作の流れを説明する。図１２は、睡眠支援動作のフローチャートである。また、図１３は、睡眠支援動作の一例を示す図である。
【００４７】
スライド検知部１３１により、背もたれ部１１１のスライド、つまり、座状態から寝状態への遷移が検知された場合（Ｓ１０１でＹｅｓ：図１３の時刻ｔ０）、制御部１３３は、睡眠促進モードを開始する（Ｓ１０２）。睡眠促進モードとは、ユーザ１０４の睡眠を促進するモードである。例えば、制御部１３３は、睡眠促進モードにおいて、睡眠制御灯１０３の明るさが徐々に暗くなるように制御する。
【００４８】
次に、制御部１３３は、時刻ｔ０から所定時間Ｔ０（第１時間）が経過した後の時刻ｔ１において、覚醒促進モードを開始する（Ｓ１０３）。ここで時刻ｔ１は、予め設定されている起床時刻ｔ２よりも時間Ｔ１だけ前の時刻である。つまり、制御部１３３は、予め設定された起床時刻ｔ２よりも時間Ｔ１（第２時間）だけ前の時刻に、覚醒促進モードを開始する。
【００４９】
覚醒促進モードとは、ユーザ１０４の覚醒（起床）を促進するモードである。例えば、制御部１３３は、覚醒促進モードにおいて、睡眠制御灯１０３の明るさが徐々に明るくなるように制御する。
【００５０】
また、睡眠促進モードにおける睡眠制御灯１０３の色温度は、覚醒促進モードにおける色温度よりも低く設定されている。例えば、覚醒促進モードにおける睡眠制御灯１０３の色温度は３０００Ｋよりも大きく設定されている。一例としては、覚醒促進モードの色温度は５００Ｋであり、睡眠促進モードの色温度は３０００Ｋである。
【００５１】
また、起床時刻ｔ２において、音又は振動等により、ユーザ１０４に起床時刻であることが通知されてもよい。
【００５２】
このように、ユーザ１０４がスライドを行った場合に、自動的に睡眠促進モード及び覚醒促進モードに移行することでユーザ１０４の利便性を向上できる。また、起床時刻ｔ２より前に覚醒促進モードを開始することで、起床時刻ｔ２までに徐々にユーザ１０４の覚醒度を上げることができるので、ユーザ１０４を爽快に目覚めさせることができる。
【００５３】
さらに、制御部１３３は、設定された睡眠時間Ｔ２（起床時刻ｔ２）に応じて、覚醒促進モードの開始時刻ｔ１、つまり、時間Ｔ１を変更してもよい。具体的には、制御部１３３は、睡眠時間Ｔ２（第３時間）が長いほど、時間Ｔ１（第２時間）を長く設定する。例えば、図１４に示すように、制御部１３３は、睡眠時間Ｔ２が１時間に設定されている場合には、時間Ｔ１を１５分に設定する。また、図１５に示すように、制御部１３３は、睡眠時間Ｔ２が３時間に設定されている場合には、時間Ｔ１を３０分に設定する。なお、この睡眠時間Ｔ２に応じた時間Ｔ１の変更は、段階的な制御であってもよいし、連続的な制御であってもよい。
【００５４】
このようにすることで、ユーザ１０４の睡眠の深さに応じて、覚醒促進モードを開始するタイミングを変更できるので、より効果的な覚醒促進を実現できる。また、睡眠時間Ｔ２が短い場合に、睡眠促進モード後に即座に覚醒促進モードが開始されてしまうことを抑制できる。
【００５５】
なお、睡眠促進モードを開始するトリガは、座部１０１のスライドのみに限らず、ユーザ１０４の操作、又は、予め設定された時刻等に基づいてもよい。
【００５６】
また、上記説明では、座状態において睡眠制御灯１０３が被覆される例を述べたが、被覆されなくてもよい。さらに、座状態において睡眠制御灯１０３が点灯してもよい。この場合、座状態において睡眠制御灯１０３は、意匠用の照明として機能する。つまり、睡眠制御灯１０３は、睡眠覚醒モードの前の状態において点灯しており、睡眠覚醒モードにおいて消灯し（又は所定の明るさまで暗くし）、睡眠覚醒モードで点灯し、睡眠覚醒モード後も点灯し続けてもよい。
【００５７】
［実験結果］
ユーザを快適に起床させるため、以下に示す実験を行った。男女５８名を被験者とし、被験者宅にて覚醒促進モードを搭載した照明システムを用いて、通常の睡眠時間を取得させた後、覚醒促進モードで起床させた。図１６は、起床後の主観評価結果を示す。覚醒促進モードを搭載した照明システムで起床した場合、起床時の気分及び眠気が有意に高い値となることが示される。
【００５８】
また、８名を対象とし就寝前の色温度と照度をパラメータに生理評価実験を行った結果を図１７に示す。照度よりも色温度が覚醒度におよぼす影響が大きく、３０００Ｋと５０００Ｋで覚醒度の低下を比較した結果、３０００Ｋで覚醒度がより低下する傾向がみられた。この結果から、睡眠促進モードは覚醒促進モードよりも低い色温度であることが効果的であると考えられる。また、覚醒促進モードは少なくとも３０００Ｋ以上であることが望ましく、４０００Ｋ以上であることがより好ましいと考えられる。
【００５９】
［睡眠制御灯の構成］
上述したように睡眠制御灯１０３は、睡眠促進モードと覚醒促進モードとで異なる色温度の光を照射する。以下、この機能を実現する睡眠制御灯１０３の構成例を説明する。
【００６０】
図１８〜図２１は、睡眠制御灯１０３の異なる構成例を示す図である。図１８に示すように、睡眠制御灯１０３は、互いに異なる２色以上の光色を有する蛍光灯１４１及び１４２を備える。これらの蛍光灯１４１及び１４２からの光の混色によって異なる色温度の光の照射を実現できる。
【００６１】
また、図１９に示すように、睡眠制御灯１０３は、互いに異なる２つ以上の光色を有するＬＥＤチップ１４３及び１４４を備えてもよい。または、図２０に示すように、睡眠制御灯１０３は、ＲＧＢそれぞれのＬＥＤチップ１４６、１４７及び１４８で構成される光源１４５を複数備えてもよい。これらのＬＥＤチップからの光の混色により異なる色温度の光の照射を実現できる。または、白色を加えたＲＧＢＷｈｉｔｅによっても実現可能である。また、これらの光源１４５は、ライン状に配置されてもよいし、図２１に示すように点光源であってもよい。
【００６２】
以上、本発明の実施の形態に係る照明システムについて説明したが、本発明は、この実施の形態に限定されるものではない。
【００６３】
例えば、本発明は、上記照明システムを含む移動体（例えば飛行機又は列車）として実現されてもよい。
【００６４】
また、上記説明では、背もたれ部１１１及び座部１１２がスライドすることにより、座状態と寝状態とが遷移する構成を説明したが、スライドは行わず、背もたれ部１１１が下端部を軸として回動することにより、座状態と寝状態とが遷移する構成にも本発明を適用できる。
【００６５】
また、上記実施の形態に係る照明システムに含まれる各処理部の一部又は全ては集積回路であるＬＳＩとして実現されてもよい。これらは個別に１チップ化されてもよいし、一部又は全てを含むように１チップ化されてもよい。
【００６６】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【００６７】
つまり、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００６８】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【００６９】
以上、一つまたは複数の態様に係る照明システムについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００７０】
１００  照明システム
１０１  座席
１０２  壁部
１０３  睡眠制御灯
１０５  読書灯
１２１  突出部
１３３  制御部
【図１】
0006650619.tif 000002
【図２】
0006650619.tif 000003
【図３】
0006650619.tif 000004
【図４】
0006650619.tif 000005
【図５】
0006650619.tif 000006
【図６】
0006650619.tif 000007
【図７】
0006650619.tif 000008
【図８】
0006650619.tif 000009
【図９】
0006650619.tif 000010
【図１０】
0006650619.tif 000011
【図１１】
0006650619.tif 000012
【図１２】
0006650619.tif 000013
【図１３】
0006650619.tif 000014
【図１４】
0006650619.tif 000015
【図１５】
0006650619.tif 000016
【図１６】
0006650619.tif 000017
【図１７】
0006650619.tif 000018
【図１８】
0006650619.tif 000019
【図１９】
0006650619.tif 000020
【図２０】
0006650619.tif 000021
【図２１】
0006650619.tif 000022